(57)【要約】      （修正有）【課題】転倒に安定的な形状の本体を備えるナマコ魚礁を提供する。【解決手段】「＋」字錐体状のコンクリートブロックからなり、「＋」字状の底面全体幅より高さが小さいし、「＋」字状の底面中心幅と高さが互いに対応する本体１０と、本体に垂直と水平方向に交差するように形成された通水孔６０，７０，８０と、通水溝９７，９８とを備える、ナマコ魚礁である。【選択図】図１
2020115856.tif 000002
【特許請求の範囲】
【請求項１】
「＋」字錐体状のコンクリートブロックからなり、傾いた側面を有し、「＋」字状の底面全体幅（Ｂ）より高さ（ｈ）が小さい本体１０；
前記本体１０の上面３０と底面２０を介して前記本体１０を上下方向に貫通するものの、前記本体１０の中央部に配置される中心通水孔６１、及び前記中心通水孔６１の周りにおいて、前記「＋」状の枝が延びる方向と対応する位置に配置される周辺通水孔６２とを含む複数の垂直通水孔６０；
前記本体１０の互いに対向する外側面４０を介して前記本体１０を水平方向に貫通するものの、上下方向と左右方向に所定間隔で複数配置される複数の外側水平通水孔７０；
前記本体１０の互いに対向する内側面５０を介して前記本体１０を水平方向に貫通するものの、上下方向に所定間隔で複数配置される複数の内側水平通水孔８０；
前記本体１０の底面２０に形成されるものの、互いに対向する外側面４０を連結するように水平方向に並んで延びる複数の外側水平通水溝９７；及び、
前記本体１０の底面２０に形成されるものの、互いに対向する内側面５０を水平方向に延びる複数の内側水平通水溝９８；とを含み、
前記複数の外側水平通水孔７０は、同じ高さの層で交差する方向に延びる外側水平通水孔７０同士に互いに連通し、各々の外側水平通水孔７０は、前記垂直通水孔６０のうち少なくともいずれかと互いに連通し、
前記複数の内側水平通水孔８０は、同じ高さの層で交差する方向に延びる外側水平通水孔７０と互いに連通し、前記外側水平通水孔７０を経由して、前記垂直通水孔６０らのうち少なくともいずれかと互いに連通し、
前記複数の外側水平通水溝９７は、交差する方向に延びる外側水平通水孔７０同士に互いに連通し、各々の外側水平通水孔７０は、前記垂直通水孔６０のうち少なくともいずれかと互いに連通し、
前記複数の内側水平通水溝９８は、交差する方向に延びる外側水平通水溝９７と互いに連通し、前記外側水平通水溝９７を経由して、前記垂直通水孔６０のうち少なくともいずれかと互いに連通するナマコ魚礁。
【請求項２】
前記周辺通水孔６２は、「＋」字の各枝ごとに２つずつ配置されるものの、前記本体１０の中心を通る十字線を外れた位置に配置され、
前記周辺通水孔６２の中心（Ｏ）は、底面重畳部２２の内部且つ上面重畳部３２を外れた領域に設けられ、前記周辺通水孔６２の外側縁ｃ１は、底面重畳部２２の内部に位置して、前記周辺通水孔６２の内側縁ｃ２は、上面重畳部３２の内部に位置する、
請求項１に記載のナマコ魚礁。
【請求項３】
前記垂直通水孔６０の直径と水平通水孔７０、８０の直径との比は、２：１である、
請求項１に記載のナマコ魚礁。
【請求項４】
前記底面全体幅（Ｂ）と高さ（ｈ）の割合は、１．５：１〜２．５：１である、
請求項１に記載のナマコ魚礁。
【請求項５】
底面全体幅（Ｂ）と上面全体幅（Ａ）の割合は、２．５：２〜３．５：２である、
請求項４に記載のナマコ魚礁。
【請求項６】
底面全体幅（Ｂ）と上面全体幅（Ａ）の割合は、２．５：２〜３．５：２であり、
底面中心幅（ｂ）と上面中心幅（ａ）の割合が２．５：２〜３．５：２である、
請求項１に記載のナマコ魚礁。
【請求項７】
底面全体幅（Ｂ）対底面中心幅（ｂ）の割合が２：１であり、底面中心幅（ｂ）と高さ（ｈ）の比は、０．９：１〜１．１：１である、
請求項１に記載のナマコ魚礁。
【請求項８】
請求項１〜請求項７のうちいずれか一項のナマコ魚礁を複数据え置きしたナマコ魚礁構造体。
【請求項９】
水平方向の第１方向、及び前記第１方向と垂直を成す水平方向の第２方向に、隣るナマコ魚礁の外側面が互いに相接するように据え置きした、
請求項８に記載のナマコ魚礁構造体。
【請求項１０】
水平方向の第１方向には、隣るナマコ魚礁の外側面が互いに相接するように据え置きして、水平方向の第２方向には、ナマコ魚礁のいずれか側面が隣る２つのナマコ魚礁の両内側面と接するように据え置きした、
請求項８に記載のナマコ魚礁構造体。
【発明の詳細な説明】
【技術分野】
【０００１】
本発明は、ナマコの生息と増殖を促進するために有利なナマコ魚礁の構造に関する。
【背景技術】
【０００２】
既存に開発された韓国特許第１３２７３９７号、韓国特許第５７２０６９号、韓国特許第１１０４７７６号のナマコ魚礁は、ナマコの生息する空間が足りなくて、種貝を保護することが不十分であった。
【０００３】
また、上記魚礁は、据え置き方法が一律的であり、据え置きされた状態で、海水の沈殿物が溜まらずに、海流によって容易に流されてしまい、海水の沈殿物を餌とするナマコに良質の餌を提供することができない問題があった。
【０００４】
このため、ナマコの生産量を拡大するために、魚種から種貝を保護し、種貝が暮らすために十分な空間を提供し且つ海流中の沈殿物が容易に溜まった状態を保持することのできるナマコ魚礁を開発する必要性がある。
【発明の概要】
【発明が解決しようとする課題】
【０００５】
本発明は、上述した問題点を解決するために考案されたものであって、転倒に安定的な形状の本体を備えるナマコ魚礁を提供することを目的とする。
【０００６】
また本発明は、ナマコの生息する空間を十分に確保し且つ魚類の浸透を防ぎ、ナマコ稚魚の減耗を減らせるナマコ魚礁を提供することを目的とする。
【０００７】
また本発明は、ナマコの生息空間にナマコの餌になり得る浮遊物と沈殿物が円滑に供給され、海水による揚力を解消することのできる通水構造を備えるナマコ魚礁を提供することを目的とする。
【課題を解決するための手段】
【０００８】
上述した課題を解決するために本発明は、「＋」字錐体状のコンクリートブロックからなり、「＋」字状の底面全体幅（Ｂ）より高さ（ｈ）が小さいし、「＋」字状の底面中心幅（ｂ）と高さ（ｈ）とが互いに対応する本体１０を備えるナマコ魚礁を提供する。
【０００９】
前記ナマコ魚礁は、円形の断面を有し、前記本体１０の上面３０と底面２０を介して前記本体１０を上下方向に貫通するものの、前記本体１０の中央部に配置される中心通水孔６１、及び前記中心通水孔６１の周りにおいて、前記「＋」状の枝が延びる方向と対応する位置に配置される周辺通水孔６２とを含む複数の垂直通水孔６０を備える。
【００１０】
また、前記ナマコ魚礁は、円形の断面を有し、前記本体１０の互いに対向する外側面４０を介して前記本体１０を水平方向に貫通するものの、上下方向に離隔した複数の層ごとに左右所定間隔で複数配置され、前記垂直通水孔６０より小さな断面を備える複数の外側水平通水孔７０を備える。
【００１１】
前記複数の外側水平通水孔７０は、同じ高さの層で交差する方向に延びる外側水平通水孔７０同士に互いに連通し、各々の外側水平通水孔７０は、前記垂直通水孔６０のうち少なくともいずれかと互いに連通する。
【００１２】
また、前記ナマコ魚礁は、前記外側水平通水孔７０と対応する円形の断面を有し、前記本体１０の互いに対向する内側面５０を介して前記本体１０を水平方向に貫通するものの、前記外側水平通水孔７０が配列された層と並ぶ層ごとにそれぞれ１つ以上が配置される複数の内側水平通水孔８０を備える。
【００１３】
前記複数の内側水平通水孔８０は、同じ高さの層で交差する方向に延びる外側水平通水孔７０と互いに連通し、前記外側水平通水孔７０を経由して、前記垂直通水孔６０のうち少なくともいずれかと互いに連通する。
【００１４】
また、前記ナマコ魚礁は、下部が平たく、上部に円弧が形成された半円の断面を有し、前記本体１０の底面２０に形成されるものの、互いに対向する外側面４０を連結するように、水平方向に並んで延びる複数の外側水平通水溝９７を備える。
【００１５】
前記複数の外側水平通水溝９７は、交差する方向に延びる外側水平通水孔７０同士に互いに連通し、各々の外側水平通水孔７０は、前記垂直通水孔６０のうち少なくともいずれかと互いに連通する。
【００１６】
また、前記ナマコ魚礁は、前記外側水平通水溝９７と対応する半円の断面を有し、前記本体１０の底面２０に形成されるものの、互いに対向する内側面５０を水平方向に延びる複数の内側水平通水溝９８を備える。
【００１７】
前記複数の内側水平通水溝９８は、交差する方向に延びる外側水平通水溝９７と互いに連通し、前記外側水平通水溝９７を経由して、前記垂直通水孔６０のうち少なくともいずれかと互いに連通する。
【００１８】
前記周辺通水孔６２は、「＋」字の各枝ごとに２つずつ配置されるものの、前記本体１０の中心を通る十字線を外れた位置に配置されてもよい。
【００１９】
前記周辺通水孔６２の中心（Ｏ）は、底面重畳部２２の内部且つ上面重畳部３２を外れた領域に設けられ、前記周辺通水孔６２の外側縁ｃ１は、底面重畳部２２の内部に位置して、前記周辺通水孔６２の内側縁ｃ２は、上面重畳部３２の内部に位置してもよい。
【００２０】
前記垂直通水孔６０の直径と水平通水孔７０、８０の直径との比は、２：１であってもよい。
【００２１】
前記底面全体幅（Ｂ）と高さ（ｈ）の割合は、１．５：１〜２：５：１であってもよい。前記底面全体幅（Ｂ）と上面全体幅（Ａ）の割合は、２．５：２〜３．５：２であってもよい。底面中心幅（ｂ）と上面中心幅（ａ）の割合が２．５：２〜３．５：２であってもよい。
【００２２】
底面全体幅（Ｂ）対底面中心幅（ｂ）の割合が２：１であり、底面中心幅（ｂ）と高さ（ｈ）の比は、０．９：１〜１．１：１であってもよい。
【００２３】
また本発明は、前記ナマコ魚礁を複数据え置きしたナマコ魚礁構造体を提供する。
【００２４】
一例として、図９に示したように、水平方向の第１方向には、隣るナマコ魚礁の外側面たちが相接するように据え置きし、水平方向の第２方向には、ナマコ魚礁のいずれか外側面が隣る２つのナマコ魚礁の両内側面と接するように据え置きすることができる。
【００２５】
他の一例として、図１０に示したように、水平方向の第１方向、及び前記第１方向と垂直を成す水平方向の第２方向に、隣るナマコ魚礁の外側面たちが互いに相接するように据え置きすることができる。
【発明の効果】
【００２６】
本発明のナマコ魚礁は、転倒に安定的な形状の本体を備えて、流体力に非常に安定的である。
【００２７】
また、本発明のナマコ魚礁は、ナマコの生息する空間を十分に確保し且つ魚類の浸透を防ぐことができる。
【００２８】
また、本発明のナマコ魚礁は、独特な通水構造を介してナマコの生息空間にナマコの餌になり得る浮遊物と沈殿物が円滑に供給され、海水による揚力を解消することができる。
【００２９】
上述した効果と本発明の具体的な効果は、以下の発明を実施するための具体的な事項を説明しながら共に記述する。
【図面の簡単な説明】
【００３０】
【図１】本発明による実施形態であって、ナマコ魚礁を示した斜視図。
【図２】図１のナマコ魚礁の側面図。
【図３】図１のナマコ魚礁の平面図。
【図４】図１のナマコ魚礁の底面図。
【図５】図１のナマコ魚礁の平面図。
【図６】図１のナマコ魚礁の平面図と正面図。
【図７】図１のナマコ魚礁の側面図。
【図８】図１のナマコ魚礁の側面図。
【図９】ナマコ魚礁構造体を示した平面図。
【図１０】ナマコ魚礁構造体を示した平面図。
【発明を実施するための形態】
【００３１】
以下では、本発明の好ましい実施形態を添付の図面を参照して詳説する。
【００３２】
＜ナマコ魚礁の外観形状＞
図１〜図４を参照すれば、本発明によるナマコ魚礁１は、十（「＋」）字錐体状の本体１０を備える。
【００３３】
すなわち、前記本体１０の底面２０は、長い２つの長方形を直角に交差させたＸ字状または十字状であり、本体１０の上面３０は、前記底面２０より縮小したＸ字状または十字状である。十字状の断面は、正方形状の断面において各コーナー部分が取り除いた構造である。かかる構造は、本体１０の外側面４０の面積が広くなりすぎることを制限して、流体力に対する転倒安全性を向上させる。また、かかる構造は、取り除いたコーナー部分において、渦流と湧昇の発生を誘導して、海底に存在する営養分を魚礁の周りに集めてくれる。
【００３４】
前記底面２０の底面全体幅（Ｂ）と本体１０の高さ（ｈ）の割合は、１．５：１〜２．５：１であってもよく、好ましくは２：１であってもよい。これは、流体力に対する安全性と洗掘・埋没に対する安全性を確保し且つ本体の体積を十分確保できる割合である。１．５：１より低くなると、転倒のリスクが大きくなり、洗掘・埋没に対する安全性が低くなるし、２．５：１より大きくなると、魚礁の体積確保に不利である。実施形態によれば、前記底面全体幅（Ｂ）は、３．０ｍであり、高さ（ｈ）は、１．５ｍであってもよい。
【００３５】
前記ナマコ魚礁１は、錐体状であり、底面２０の面積対上面３０の面積が縮小される。底面全体幅（Ｂ）と上面全体幅（Ａ）の割合は、２．５：２〜３．５：２であってもよく、好ましくは３：２であってもよい。底面全体幅（Ｂ）と上面全体幅（Ａ）の割合が２．５：２より小さければ、転倒のリスクが高くなり、３．５：２より大きくなれば、魚礁の体積確保に不利である。実施形態によれば、上面全体幅（Ａ）は、２．０ｍであってもよい。
【００３６】
すなわち、前記ナマコ魚礁１は、底面全体幅（Ｂ）と本体１０の高さ（ｈ）の割合が１．５：１〜２．５：１であり、底面全体幅（Ｂ）と上面全体幅（Ａ）の割合は、２．５：２〜３．５：２であるため、転倒安全性が非常に高い。
【００３７】
また、ナマコ魚礁１は、十字の断面を有する。これにより、底面２０は、十字が重畳する領域である底面重畳部２２を備え、上面３０は、十字が重畳する領域である上面重畳部３２を備える。底面重畳部２２と上面重畳部３２は、いずれも正四角形状であり、底面重畳部２２の幅を示す底面中心幅（ｂ）と上面重畳部３２の幅を示す上面中心幅（ａ）の割合も３：２であってもよい。実施形態によれば、底面中心幅（ｂ）は１．５ｍであり、上面中心幅（ａ）は１．０ｍであってもよい。底面中心幅（ｂ）と上面中心幅（ａ）の割合が２．５：２より小さければ、転倒のリスクが高くなるし、３．５：２より大きくなれば、魚礁の体積確保に不利である。
【００３８】
すなわち、前記ナマコ魚礁１は、底面全体幅（Ｂ）と上面全体幅（Ａ）の割合が２．５：２〜３．５：２であり、底面中心幅（ｂ）と上面中心幅（ａ）の割合が２．５：２〜３．５：２であるため、側面がいずれも上部へ露出する傾斜面を有することになる。従って、魚礁を互いに横筋交いに重なっておいても、あらゆる側面が上部へ露出する（図９参照）。
【００３９】
前記底面全体幅（Ｂ）対底面中心幅（ｂ）の割合は、約２：１であってもよい。そうすると、底面重畳部２２から底面が側方に突き出る幅が底面重畳部２２の幅の１／２であるため、図９に示したように、魚礁を互いに横に筋交いに配置しても、海底面が露出しないようにすることができ、互いに強くインターロックされ、転倒抵抗性を向上することができる。
【００４０】
また、上面全体幅（Ａ）対上面中心幅（ａ）の割合も１．５：１〜２．５：１であってもよく、好ましくは、約２：１であってもよい。かかる割合によれば、ナマコ魚礁を十字断面状にして、外側面の面積を適宜減少させ且つナマコ魚礁の体積を十分に確保し、また各コーナーで渦流を十分に誘導することができるようになる。
【００４１】
前記底面中心幅（ｂ）と高さ（ｈ）の比は、０．９：１〜１．１：１であってもよく、好ましくは、前記底面中心幅（ｂ）は、高さ（ｈ）と対応してもよい。すなわち、これらの割合は、約１：１であってもよい。これにより、魚礁の高さをある程度確保し、複数の魚礁を互いに側方に隣接させて据え置きした時に生成される生息空間の高さを確保して、浮遊沈殿物が集まった後も、集まった状態で流失しないようにすることができる。
【００４２】
前記ナマコ魚礁１は、底面全体幅（Ｂ）対底面中心幅（ｂ）の割合が約２：１であり、前記底面中心幅（ｂ）と高さ（ｈ）の割合は、約１：１であるため、図１０に示したように、魚礁の端部が互いに相接するように据え置きしたとき、海底面が露出する生息空間が現われ、生息空間の面積と高さが魚礁の底面重畳部２２の幅及び高さと同じ約立方体状の空間を規定するため、浮遊沈殿物が集まった後も流失しないようにすることができる。
【００４３】
前記本体１０の外側面４０と、外側面４０の両端部に設けられた内側面５０は、いずれも傾いた形態となる。本体１０の外側面４０が底面２０と成す外側面の傾斜角（ｊ）は、６５度以上７５度以下であってもよい。本発明の実施形態では、外側面傾斜角（ｊ）が約７１度であることが例示される。また、本体１０の内側面５０が底面２０と成す内側面傾斜角（ｋ）は、７５度以上８５度以下であってもよい。本発明の実施形態では、内側面傾斜角（ｋ）が約８０であることが例示される。
【００４４】
外側面傾斜角（ｊ）に比べて内側面傾斜角（ｋ）は、さらに大きく設定される。前記外側面傾斜角（ｊ）は、相対的になだらかに、流体力に対する転倒安全性を向上させる一方、内側面傾斜角（ｋ）は、渦流と湧昇の発生をさらに円滑に誘導する。
【００４５】
前記ナマコ魚礁１が互いに相接するように配置すれば、隣る２つのナマコ魚礁１の傾いた側面の間に「Ｖ」字の空間が形成され、ここに、ナマコの餌である海中の有機浮遊物が沈むことができる。特に、図９のように、ナマコ魚礁を据え置きすると、前記「Ｖ」字の空間がジグザグ状に配列されるため、餌の溜まりを引き起こすことができる。
【００４６】
また、図１０のように、ナマコ魚礁を据え置きすれば、魚礁によって囲まれた空間が設けられるものの、この空間が前記「Ｖ」字の空間を介して互いに繋がれるところ、側方へ流れる海流の有機浮遊物も囲まれた空間に溜まることを誘導することができる。
【００４７】
上記図９と図１０に示したナマコ魚礁１の間の空間に停滞して溜まった浮遊物は、後述する通水孔に生息するナマコが容易に近付いて食べることができる。
【００４８】
＜ナマコ魚礁の通水構造＞
本発明によるナマコ魚礁は、外観の形状と有機的に繋がる通水構造を有する。
【００４９】
先ず、前記ナマコ魚礁１の本体１０は、円形断面の垂直通水孔６０を備える。複数の垂直通水孔６０の上端部は、上面３０に配置されて、下端部は、底面２０に配置される。前記垂直通水孔６０は、本体１０の内部で後述する外側水平通水孔７０と交差し、互いに連通することになる。垂直通水孔６０は、本体１０の中心に設けられるし、また、本体１０の中心の周りに設けられる。本体１０の中心に設けられた中心通水孔６１と周りに設けられた周辺通水孔６２は、いずれも同じ直径を備える。これは、本発明がナマコのための魚礁だからである。実施形態によれば、前記直径は、約０．３ｍであってもよい。垂直通水孔６０の間には、０．１ｍ以上の間隔を置いて、魚礁の全体的な剛性を損なうことなく、魚礁の自重を十分に確保することができる。
【００５０】
周辺通水孔６２は、十字の各枝ごとに２つずつ配置される。これら周辺通水孔６２は、前記本体１０の中心を通る十字線を外れた位置に配置される。
【００５１】
図３を参照すれば、周辺通水孔６２の中心（Ｏ）は、底面重畳部２２の内部且つ上面重畳部３２を外れた領域に設けられる。これによれば、周辺通水孔６２が外側水平通水孔７０とさらに近く交差することができる。そして、周辺通水孔６２の外側縁ｃ１は、底面重畳部２２の内部に位置する。すなわち、周辺通水孔６２は、底面重畳部２２の内部に存在する。これによれば、１つの周辺通水孔６２が一側水平（ｘ軸）方向に延びて形成された外側水平通水孔７０とも連通すると共に、他側水平（ｙ軸）方向に延びて形成された外側水平通水孔７０とも連通し得る。また、周辺通水孔６２の内側縁ｃ２は、上面重畳部３２の内部に位置する。すなわち、周辺通水孔６２の一部は、上面重畳部３２に亘って存在する。
【００５２】
図５と図６を参照すれば、上記のように配置された垂直通水孔６０がカバーするｘ軸とｙ軸の水平方向の領域は、外側面４０のほとんどすべての領域をカバーするようになる。従って、外側面４０に形成される外側水平通水孔７０は、いずれも前記垂直通水孔６０と連通する。また、上記のように、周辺通水孔６２を配置すれば、いずれか方向の外側面（例えば、ｙ軸方向に向かう外側面）に形成された外側水平通水孔７０は、いずれもｙ軸方向に隣接して配置された垂直通水孔６２と、ｘ軸方向に隣接して配置された垂直通水孔６２とが協動して形成されるカバー領域に入ってくるようになる。
【００５３】
前記垂直通水孔６０の大きさと配置は、本体１０の自重を高めて、流体力に対する安全性を向上するように、最小限の個数に製作すると共に、垂直通水孔６０と水平通水孔７０、８０がまるでジャングルジムが絡んでいるように互いに連通させることにより、本体内部への海水の流れを円滑にして、浮遊有機物が本体の内部へ円滑に供給されるようにしてくれる。
【００５４】
図７と図８を参照すれば、本体１０の側面４０、５０を貫通して、水平方向に形成される水平通水孔７０、８０は、互いに対向する両外側面４０を貫通する外側水平通水孔７０と、互いに対向する両内側面を貫通する内側水平通水孔８０とを含む。前記水平通水孔７０、８０は、円形の断面を有し、その直径は、垂直通水孔６０の１／２であってもよい。実施形態によれば、水平通水孔７０、８０の直径は、０．１５ｍであってもよい。これは、本発明がナマコのための魚礁だからである。
【００５５】
外側水平通水孔７０は、前述したように、必ず複数の垂直通水孔６０のうち少なくともいずれかと連通する。垂直通水孔６０が上面重畳部３２を外れた底面重畳部２２の部位にも配置されるため、外側面４０の幅（これは、底面中心幅（ｂ）と同様）が上面中心幅（ａ）より広いとしても、外側面４０に形成された外側水平通水孔７０がいずれも垂直通水孔６０と連通することができる。また、周辺通水孔６２の内側縁ｃ２が上面重畳部３２まで延びて配置されるため、中心部に１つの中心通水孔６１のみを置いても、垂直通水孔６０が図５に示したように、あらゆる外側水平通水孔７０と十分に連通することができる。
【００５６】
前記外側水平通水孔７０は、複数の層に並んで配列されてもよく、各層に配置される外側水平通水孔７０は、水平方向に互いに同じ間隔を置いて配置されてもよい。実施形態によれば、隣る２つの外側水平通水孔７０の間の水平方向の間隔は、約０．１０ｍであってもよい。
【００５７】
前記外側水平通水孔７０が配列された各層間の垂直方向の間隔も約０．１０ｍであってもよい。隣る両層の外側水平通水孔７０は、互いに筋交いになった形態に配列されてもよい。外側水平通水孔７０の上下方向の配列は、図８に示したように、両対角線方向に整列されてもよい。このような配列構造によれば、外側水平通水孔７０をより稠密に配置することができる。
【００５８】
内側水平通水孔８０は、垂直通水孔６０と直接に連通せず、外側水平通水孔７０を経て前記垂直通水孔６０と連通する。例えば、ｘ軸方向に延びた内側水平通水孔８０は、それと交差し、ｙ軸方向に延びた外側水平通水孔７０と連通することにより、結果として、垂直通水孔６０と連通する。このような連通経路を確保するために、前記内側水平通水孔８０は、外側水平通水孔７０と同じ高さの層に形成される。
【００５９】
前記外側水平通水孔７０と内側水平通水孔８０は、互いに直交して配置されるため、いずれか通水孔に流入した海水が、これと交差する他の通水孔を介して排水されてもよく、垂直通水孔６０を介して排水されてもよい。また、海水が通水孔６０、７０、８０を経て分散されるため、流速が減少し、これにより、本体１０の外部にあった海水の営養分が通水孔内に留まるように誘導することが可能である。
【００６０】
前記本体１０の底面２０には、半円状の断面を有する底面水平通水溝９０を備える。底面水平通水溝の直径は、前記水平通水孔７０、８０と対応する。実施形態によれば、底面水平通水溝９０の直径は、０．１５ｍｍであってもよい。底面水平通水溝９０は、底面２０に形成され、互いに対向する両外側面４０の間で延びる外側水平通水溝９７と、互いに対向する両内側面５０の間で延びる内側水平通水溝９８とを含む。
【００６１】
互いに異なる方向に延びる外側水平通水溝９７は、底面重畳部２２で互いに交差する。互いに異なる方向に延びる外側水平通水溝９７と内側水平通水溝９８は、底面２０において前記底面重畳部を外れた位置で互いに交差する。
【００６２】
外側水平通水溝９７は、複数の垂直通水孔６０のうち少なくともいずれかと連通する。垂直通水孔６０が上面重畳部３２を外れた底面重畳部２２の部位にも配置されるため、底面２０に形成された外側水平通水孔９７は、いずれも垂直通水孔６０と連通し得る。また、周辺通水孔６２の内側縁ｃ２が上面重畳部３２まで延びて配置されるため、中心部に１つの中心通水孔６１のみを置いても、垂直通水孔６０が図５に示したように、あらゆる外側水平通水溝９７と十分に連通することができる。
【００６３】
前記外側水平通水溝９７は、水平方向に互いに同じ間隔を置いて配置されてもよい。実施形態によれば、隣る２つの外側水平通水溝９７の間の水平方向間隔は、約０．１０ｍであってもよい。
【００６４】
内側水平通水溝９８は、垂直通水孔６０と直接に連通せず、外側水平通水溝９７を経て前記垂直通水孔６０と連通する。
【００６５】
前記外側水平通水溝９７と内側水平通水孔９８は、互いに直交して配置されるため、いずれか通水溝に流入した海水が、これと交差する他の通水溝を介して排水されてもよく、垂直通水孔６０を介して排水されてもよい。また、海水が通水溝９７、９８を経て分散されるため、流速が減少し、これにより、本体１０の外部にあった海水の営養分が通水溝内に留まるように誘導することが可能である。
【００６６】
上述した通水孔と通水溝によって設けられる本体１０の内部空間は、ナマコの産卵場として活用することができる。また、前記本体１０は、コンクリートブロックとして製作することができ、その表面には、海藻類の着生を誘導するための幾何学的陰影を形成することができる。
【００６７】
以下では、本発明によるナマコ魚礁の作用効果について説明する。
【００６８】
ナマコの生活史は、受精卵、卵割期、胞はい期、のうはい期の初期発生段階と、初期、中期、後期オーリクラリア、ドリオラリア、ペンタクツラ乳生期を経て、幼いナマコ及び中間種苗の６段階に区分することができる。前記ナマコ魚礁１の本体１０に設けられた通水孔によって提供される円状の空間は、ナマコの浮遊幼生が遊泳するのに好適な流れの環境を有することになる。また、通水孔の内部表面を含む本体の表面に形成された凹凸（幾何学的陰影）は、ナマコの浮遊幼生の着底に最適である。
【００６９】
体重２ｇ〜３ｇの幼いナマコは、主に付着性微細藻類等を摂餌して成長し、わかめ、昆布、馬尾藻、アオノリ等の海藻類と、パール中の有機物、原生動物及び甲殻類、軟体動物の幼生、分解過程にある魚類の死体等を摂餌する。本発明の本体１０の表面には、海藻類がうまく付着し得る小さな凹凸が備えられて、付着性微細藻類を十分に提供し、また、本体１０の底面に底面水平通水溝９０によって形成される海底面上の狭い空間で、幼いナマコが天敵の攻撃を受けないで、海底面のパール等の有機物を摂餌できるようにする。前記有機物は、海水の流れが通水孔を通すようにしながら、継続して供給されてもよい。本発明のナマコ魚礁１は、複数の水平通水孔７０、８０が互いに交差するように配置され、複数の水平通水溝９０が互いに交差するように配置されるようにすることで、渦流を誘導して、プランクトン等の餌生物の滞留を促進することができる。
【００７０】
成体ナマコは、水温が１９℃以上であるとき、運動が不振であり、食欲が減退し、消化管が萎縮する夏眠前期に迎えるし、水温が２４．５℃以上であるときは、断食状態に突入し、消化管が萎縮し且つほとんど動きがなくなる夏眠成期（完全休眠時期）に迎える。その後、秋に入り、水温が１９℃〜２０℃下に下降すると、さらに運動が活発になる再活動期に迎える。垂直通水孔６０は、このようなナマコの生活史を有するナマコが海水の水温変化にうまく適応できる環境を提供する。
【符号の説明】
【００７１】
１              ナマコ魚礁
１０            本体
Ａ              上面全体幅
ａ              上面中心幅
Ｂ              底面全体幅
ｂ              底面中心幅
ｈ              高さ
２０            底面
２２            底面重畳部
３０            上面
３２            上面重畳部
４０            外側面
ｊ              外側面傾斜角
５０            内側面
ｋ              内側面傾斜角
６０            垂直通水孔
６１            中心通水孔
６２            周辺通水孔
７０            外側水平通水孔
８０            内側水平通水孔
９０            底面水平通水溝
９７            外側水平通水溝
９８            内側水平通水溝
【図１】
2020115856.tif 000003
【図２】
2020115856.tif 000004
【図３】
2020115856.tif 000005
【図４】
2020115856.tif 000006
【図５】
2020115856.tif 000007
【図６】
2020115856.tif 000008
【図７】
2020115856.tif 000009
【図８】
2020115856.tif 000010
【図９】
2020115856.tif 000011
【図１０】
2020115856.tif 000012